(57)【要約】【課題】手作業のときと比べて短時間で爪上皮角質を容易に爪の表面から除去する爪上皮角質除去装置を提供する。【解決手段】爪上皮角質除去装置１００は、ユーザによって把持されるグリップ本体部１１０と、グリップ本体部１１０の先端側に設けられてグリップ本体部１１０に対して相対的に移動自在な先端側可動部１２０と、グリップ本体部１１０と先端側可動部１２０との間に力を作用させて先端側可動部１２０を駆動させる駆動手段１３０とを備え、先端側可動部１２０が、駆動手段１３０から動力を受けて少なくともグリップ本体部１１０の先後方向ＦＢに振動する構成である。【選択図】図１
2018183462.tif 000002
【特許請求の範囲】
【請求項１】
ユーザによって把持されるグリップ本体部と、前記グリップ本体部の先端側に設けられてグリップ本体部に対して相対的に移動自在な先端側可動部と、前記グリップ本体部と先端側可動部との間に力を作用させて先端側可動部を駆動させる駆動手段とを備え、
前記先端側可動部が、前記駆動手段から動力を受けて少なくともグリップ本体部の先後方向に振動する構成であることを特徴とする爪上皮角質除去装置。
【請求項２】
前記先端側可動部の爪接触部分側が、前記先後方向に対して傾いているとともに、前記爪接触部分が、前記先後方向と交差する第１交差方向に長尺な形状を有して１箇所または複数箇所において第１交差方向に爪の表面と接触する構成であることを特徴とする請求項１に記載の爪上皮角質除去装置。
【請求項３】
前記爪接触部分が、凹凸刃状に形成されていることを特徴とする請求項２に記載の爪上皮角質除去装置。
【請求項４】
前記先端側可動部が、前記先後方向および第１交差方向と直交する第２交差方向を軸として回転する駆動手段の回転体と連結され、
前記爪接触部分が、前記先後方向および第１交差方向からなる仮想面上を円運動する構成であることを特徴とする請求項２または請求項３に記載の爪上皮角質除去装置。
【請求項５】
前記先端側可動部が、前記回転体に対して第２交差方向に摺動自在に連結され、
前記先端側可動部およびグリップ本体部の少なくとも一方が、前記先後方向に対して傾斜した傾斜部分を有し、
前記傾斜部分が、前記先端側可動部およびグリップ本体部の他方と接触し、前記先後方向への相対的な移動に伴って先後方向への力を第２交差方向への力に変換する構成であることを特徴とする請求項４に記載の爪上皮角質除去装置。
【請求項６】
前記先端側可動部が、前記先後方向先側へ移動する際、前記先端側可動部の爪接触部分側が向いている側へ、前記傾斜部分が、前記先端側可動部を移動させる構成であることを特徴とする請求項５に記載の爪上皮角質除去装置。
【請求項７】
前記先端側可動部の振動の１つ方向成分の振幅が、０．５ｍｍ〜３．０であることを特徴とする請求項１乃至請求項６のいずれか１つに記載の爪上皮角質除去装置。
【発明の詳細な説明】
【技術分野】
【０００１】
本発明は、爪上皮角質を除去する爪上皮角質除去装置に関する。
【背景技術】
【０００２】
従来、先端に扁平部が形成された刃受部と、扁平部に向けて形成された刃を先端に有する押切部とを備え、押し上げられた甘皮と爪の間に扁平部を挿入した状態で押切部を刃受部に向けて押すことにより、甘皮を除去する甘皮除去具が知られている（例えば、特許文献１参照）。
【先行技術文献】
【特許文献】
【０００３】
【特許文献１】特開２０１０−１７２５５６号公報
【発明の概要】
【発明が解決しようとする課題】
【０００４】
しかしながら、上述した従来の甘皮除去具は、対象者の爪に対して、技能者が手作業で行うものであり、技能者の技能によって甘皮の処理具合や処理時間が大きくばらつくという問題があった。
また、爪の表面を樹脂でコーティングする際、爪上皮角質を除去することが好ましいが、甘皮と爪上皮角質とは、別ものであり、爪上皮角質については、全く考慮されていなかった。
【０００５】
そこで、本発明は、前述したような従来技術の問題を解決するものであって、すなわち、本発明の目的は、手作業のときと比べて短時間で爪上皮角質を容易に爪の表面から除去する爪上皮角質除去装置を提供することである。
【課題を解決するための手段】
【０００６】
本請求項１に係る発明は、ユーザによって把持されるグリップ本体部と、前記グリップ本体部の先端側に設けられてグリップ本体部に対して相対的に移動自在な先端側可動部と、前記グリップ本体部と先端側可動部との間に力を作用させて先端側可動部を駆動させる駆動手段とを備え、前記先端側可動部が、前記駆動手段から動力を受けて少なくともグリップ本体部の先後方向に振動する構成であることにより、前述した課題を解決するものである。
【０００７】
本請求項２に係る発明は、請求項１に記載された爪上皮角質除去装置の構成に加えて、前記先端側可動部の爪接触部分側が、前記先後方向に対して傾いているとともに、前記爪接触部分が、前記先後方向と交差する第１交差方向に長尺な形状を有して１箇所または複数箇所において第１交差方向に爪の表面と接触する構成であることにより、前述した課題をさらに解決するものである。
【０００８】
本請求項３に係る発明は、請求項２に記載された爪上皮角質除去装置の構成に加えて、前記爪接触部分が、凹凸刃状に形成されていることにより、前述した課題をさらに解決するものである。
【０００９】
本請求項４に係る発明は、請求項２または請求項３に記載された爪上皮角質除去装置の構成に加えて、前記先端側可動部が、前記先後方向および第１交差方向と直交する第２交差方向を軸として回転する駆動手段の回転体と連結され、前記爪接触部分が、前記先後方向および第１交差方向からなる仮想面上を円運動する構成であることにより、前述した課題をさらに解決するものである。
【００１０】
本請求項５に係る発明は、請求項４に記載された爪上皮角質除去装置の構成に加えて、前記先端側可動部が、前記回転体に対して第２交差方向に摺動自在に連結され、前記先端側可動部およびグリップ本体部の少なくとも一方が、前記先後方向に対して傾斜した傾斜部分を有し、前記傾斜部分が、前記先端側可動部およびグリップ本体部の他方と接触し、前記先後方向への相対的な移動に伴って先後方向への力を第２交差方向への力に変換する構成であることにより、前述した課題をさらに解決するものである。
【００１１】
本請求項６に係る発明は、請求項５に記載された爪上皮角質除去装置の構成に加えて、前記先端側可動部が、前記先後方向先側へ移動する際、前記先端側可動部の爪接触部分側が向いている側へ、前記傾斜部分が、前記先端側可動部を移動させる構成であることにより、前述した課題をさらに解決するものである。
【００１２】
本請求項７に係る発明は、請求項１乃至請求項６のいずれか１つに記載された爪上皮角質除去装置の構成に加えて、前記先端側可動部の振動の１つ方向成分の振幅が、０．５ｍｍ〜３．０であることにより、前述した課題をさらに解決するものである。
【発明の効果】
【００１３】
本発明の爪上皮角質除去装置は、ユーザによって把持されるグリップ本体部と、グリップ本体部の先端側に設けられてグリップ本体部に対して相対的に移動自在な先端側可動部と、グリップ本体部と先端側可動部との間に力を作用させて先端側可動部を駆動させる駆動手段とを備えていることにより、爪上皮角質を除去することができるばかりでなく、以下のような特有の効果を奏することができる。
【００１４】
本請求項１に係る発明の爪上皮角質除去装置によれば、先端側可動部の爪接触部分が爪の表面と接触した状態で振動して爪の表面の爪上皮角質であるルースキューティクルや甘皮であるキューティクルが爪の表面から剥がされるため、手作業のときと比べて短時間でルースキューティクルやキューティクルを容易に爪の表面から除去することができる。
【００１５】
本請求項２に係る発明の爪上皮角質除去装置によれば、請求項１に係る発明が奏する効果に加えて、先端側可動部が先後方向に振動したとき、爪接触部分と爪の表面との擦れる範囲が第１交差方向に長尺な分だけ広くなり、振動１往復においてルースキューティクルやキューティクルが除去される範囲を広くなるため、より短時間でルースキューティクルやキューティクルを容易に爪の表面から除去することができる。
【００１６】
本請求項３に係る発明の爪上皮角質除去装置によれば、請求項２に係る発明が奏する効果に加えて、爪接触部分のルースキューティクルやキューティクルに対する切れ味が増すため、より一層短時間でルースキューティクルやキューティクルを容易に爪の表面から除去することができる。
【００１７】
本請求項４に係る発明の爪上皮角質除去装置によれば、請求項２または請求項３に係る発明が奏する効果に加えて、先後方向成分において、往復運動の往動から復動に切り替わる際に、爪接触部分が第１交差方向に移動して２次元運動をしてルースキューティクルやキューティクルを爪の根元から切断するように動くため、爪の根元からルースキューティクルやキューティクルを剥がしてかき出すことができる。
【００１８】
本請求項５に係る発明の爪上皮角質除去装置によれば、請求項４に係る発明が奏する効果に加えて、爪接触部分が第１交差方向および第２交差方向にも移動して３次元運動をして往復運動の際に爪接触部分が通過する面積が大きくなるため、より効率よく爪の根元からルースキューティクルやキューティクルを剥がしてかき出すことができる。
【００１９】
本請求項６に係る発明の爪上皮角質除去装置によれば、請求項５に係る発明が奏する効果に加えて、爪接触部分が３次元運動をする際、爪接触部分が爪の根元に押し込まれるような軌道となるため、より一層効果的に爪の根元からルースキューティクルやキューティクルを剥がしてかき出すことができる。
【００２０】
本請求項７に係る発明の爪上皮角質除去装置によれば、請求項１乃至請求項６のいずれか１つに係る発明が奏する効果に加えて、仮に爪接触部分が人体の爪以外の手の甲などの箇所と接触してしまった場合であっても、０．５ｍｍ〜３．０の範囲の振動であれば、接触した箇所の皮膚が爪接触部分の振動に追従するため、接触した箇所の皮膚を傷つけてしまうことを回避できる。
他方で、爪接触部分が爪の表面と接触しているとき、ルースキューティクルやキューティクルは、爪接触部分の振動に追従しようとして爪の表面から剥がされるため、確実にルースキューティクルやキューティクルだけを除去することができる。
【図面の簡単な説明】
【００２１】
【図１】本発明の第１実施例である爪上皮角質除去装置を示す斜視図。
【図２】（Ａ）（Ｂ）はそれぞれ図１に示す符号２Ａ−２Ａ、符号２Ｂ−２Ｂから視た断面図。
【図３】（Ａ）〜（Ｄ）は第１実施例の先端側可動部の動きを示す動作図。
【図４】（Ａ）（Ｂ）は先端側可動部の爪接触部分の先端を示す拡大図。
【図５】（Ａ）（Ｂ）は爪接触部分が爪の表面のルースキューティクルを剥がしている様子を示す概念図。
【図６】（Ａ）（Ｂ）は第２実施例の爪上皮角質除去装置の内部を示す断面図。
【図７】（Ａ）〜（Ｄ）は第２実施例の先端側可動部の動きを示す動作図。
【図８】（Ａ）（Ｂ）は第３実施例の爪上皮角質除去装置の内部を示す断面図。
【図９】（Ａ）〜（Ｄ）は第３実施例の先端側可動部の動きを示す動作図。
【発明を実施するための形態】
【００２２】
本発明の爪上皮角質除去装置は、ユーザによって把持されるグリップ本体部と、グリップ本体部の先端側に設けられてグリップ本体部に対して相対的に移動自在な先端側可動部と、グリップ本体部と先端側可動部との間に力を作用させて先端側可動部を駆動させる駆動手段とを備え、先端側可動部が、駆動手段から動力を受けて少なくともグリップ本体部の先後方向に振動する構成であることにより、手作業のときと比べて短時間でルースキューティクルやキューティクルを容易に爪の表面から除去するものであれば、その具体的な実施態様は、如何なるものであっても構わない。
【００２３】
例えば、駆動手段は、電動モータ、リニアモータ、空気量によって回転速度が調整自在なエアータービンによるものなど、先端側可動部へ動力を伝達させて先端側可動部を駆動させるものであれば如何なるものであっても構わない。
【実施例１】
【００２４】
以下に、本発明の第１実施例である爪上皮角質除去装置１００について、図１乃至図５（Ｂ）に基づいて説明する。
ここで、図１は、本発明の第１実施例である爪上皮角質除去装置１００を示す斜視図であり、図２（Ａ）は、図１に示す符号２Ａ−２Ａから視た断面図であり、図２（Ｂ）は、図１に示す符号２Ｂ−２Ｂから視た断面図であり、図３（Ａ）は、第１実施例の先端側可動部１２０の動きを示す動作図であり、図３（Ｂ）は、図３（Ａ）に示す状態から偏心カム１３７が９０度回転したときの状態を示す図であり、図３（Ｃ）は、図３（Ｂ）に示す状態から偏心カム１３７が９０度回転したときの状態を示す図であり、図３（Ｄ）は、図３（Ｃ）に示す状態から偏心カム１３７が９０度回転したときの状態を示す図であり、図４（Ａ）は、爪接触部分１２１の先端を示す第２交差方向から視た拡大図であり、図４（Ｂ）は、図４（Ａ）に示す符号４Ｂから視た図であり、図５（Ａ）は、爪接触部分１２１が爪ＮＬの表面のルースキューティクルＬＣを剥がしている様子を示す平面図であり、図５（Ｂ）は、図５（Ａ）に示す符号５Ｂ−５Ｂで視た側方概念図である。
【００２５】
本発明の第１実施例である爪上皮角質除去装置１００は、図１乃至図５（Ｂ）に示すように、グリップ本体部１１０と、先端側可動部１２０と、駆動手段１３０とを備えている。
このうち、グリップ本体部１１０は、ユーザによって把持されるように設けられている。
また、先端側可動部１２０は、グリップ本体部１１０の先端側に設けられてグリップ本体部１１０に対して相対的に先後方向ＦＢへ移動自在に構成されている。
さらに、駆動手段１３０は、グリップ本体部１１０と先端側可動部１２０との間に力を作用させて先端側可動部１２０を駆動させるように構成されている。
本実施例において、先端側可動部１２０の基本的な振動方向を先後方向ＦＢとする。
また、第１交差方向ＣＲ１は、先後方向ＦＢと交差する任意の方向であり、第２交差方向ＣＲ２は、先後方向ＦＢおよび第１交差方向ＣＲ１と直交する任意の方向である。
【００２６】
本実施例では、グリップ本体部１１０は、駆動手段１３０の一部を構成するエアー供給シリンダ１３１と連結して設けられている。
また、先端側可動部１２０は、爪ＮＬと接触する爪接触部分１２１と、駆動手段１３０から力を受ける被作用部分１２２とを有している。
【００２７】
さらに、駆動手段１３０は、一例として歯科医院で用いられるようなエアータービン方式であり、エアー供給シリンダ１３１と、エアー供給チューブ１３２と、エアータービン（図示せず）と、第１回転軸１３３と、ボールベアリング１３４と、第１ベベルギア１３５と、第２ベベルギア１３６と、偏心カム１３７と、圧縮ばね１３８とを有している（図１乃至図２（Ｂ）参照）。
【００２８】
このうち、エアー供給チューブ１３２の一端は、コンプレッサー（図示せず）と接続され、他端は、エアー供給シリンダ１３１と接続されている。
エアー供給シリンダ１３１の内部にはエアータービンが設けられている。
図２（Ａ）および図２（Ｂ）に示すように、グリップ本体部１１０の内部において、第１回転軸１３３は、エアータービンと一体に回転するように構成されている。
ボールベアリング１３４は、グリップ本体部１１０に対して第１回転軸１３３を回転自在に支持している。
第１ベベルギア１３５は、第１回転軸１３３と一体に回転するように設けられている。
第２ベベルギア１３６は、第２回転軸１３６ａを中心に回転し、第１ベベルギア１３５と噛み合って第１ベベルギア１３５から動力を受けるように設けられている。
【００２９】
偏心カム１３７の中心は、第２回転軸１３６ａの中心に対してずれて配置され、偏心カム１３７は、第２回転軸１３６ａを中心に回転して、第２ベベルギア１３６と一体に回転するように構成されている。
圧縮ばね１３８は、先端側可動部１２０の被作用部分１２２を偏心カム１３７に対して付勢するように設けられている。
さらに、偏心カム１３７の作用部分１３７ａが、先端側可動部１２０の被作用部分１２２と接触するように構成されている。
なお、偏心カム１３７における第２ベベルギア１３６と反対側は、第２回転軸１３６ａと同心の回転部材１３６ｂと係合している。
【００３０】
そして、図３（Ａ）の状態から、コンプレッサーからエアー供給シリンダ１３１へ圧縮空気が供給されるとエアータービンが回転し、第１回転軸１３３および第１ベベルギア１３５も回転する。
すると、第２ベベルギア１３６へ動力が伝達され、第２ベベルギア１３６および偏心カム１３７が、第２回転軸１３６ａを中心に９０度回転する。
そして、図３（Ｂ）に示すように、偏心カム１３７の作用部分１３７ａが、圧縮ばね１３８の付勢力に抗して被作用部分１２２を先後方向ＦＢの先側へ押圧して移動させる。
これにより、先端側可動部１２０の爪接触部分１２１も先後方向ＦＢの先側へ移動する。
【００３１】
図３（Ｂ）の状態から図３（Ｃ）に示す状態へ、第２ベベルギア１３６および偏心カム１３７がさらに９０度回転すると、偏心カム１３７の作用部分１３７ａが、圧縮ばね１３８の付勢力に抗して被作用部分１２２を先後方向ＦＢの先側へさらに移動させる。
これにより、先端側可動部１２０の爪接触部分１２１も先後方向ＦＢの先側へさらに移動する。
【００３２】
図３（Ｃ）の状態から図３（Ｄ）に示す状態へ、第２ベベルギア１３６および偏心カム１３７がさらに９０度回転すると、偏心カム１３７の作用部分１３７ａが、先後方向ＦＢの後側へ退避するため、圧縮ばね１３８の付勢力によって被作用部分１２２は、先後方向ＦＢの後側へ移動する。
これにより、先端側可動部１２０の爪接触部分１２１も先後方向ＦＢの後側へ移動する。
【００３３】
図３（Ｄ）の状態から第２ベベルギア１３６および偏心カム１３７がさらに９０度回転すると、偏心カム１３７の作用部分１３７ａが、先後方向ＦＢの後側へさらに退避するため、圧縮ばね１３８の付勢力によって被作用部分１２２は、先後方向ＦＢの後側へさらに移動する。
これにより、先端側可動部１２０の爪接触部分１２１も先後方向ＦＢの後側へさらに移動し、図３（Ａ）に示す状態に戻る。
【００３４】
また、図４（Ａ）および図４（Ｂ）に示すように、爪接触部分１２１の先端１２３は、一例として凹凸刃状に形成されている。
なお、爪接触部分１２１の先端１２３は、凹凸刃状でなくてもよいのは勿論である。
エアータービンが高速回転することにより、先端側可動部１２０の爪接触部分１２１が、駆動手段１３０から動力を受けて高速で先後方向ＦＢに振動する。
本実施例では、一例として先端側可動部１２０の振動の振幅は、２ｍｍである。
振動の振幅は、０．５〜３．０ｍｍ程度がよい。
これにより、図５（Ａ）および図５（Ｂ）に示すように、先端側可動部１２０の爪接触部分１２１が指ＦＧの爪ＮＬの表面と接触した状態で先端側可動部１２０を振動させると、爪ＮＬの表面の爪上皮角質であるルースキューティクルＬＣや甘皮であるキューティクルＣＬが爪ＮＬの表面から剥がされる。
その結果、手作業のときと比べて短時間でルースキューティクルＬＣやキューティクルＣＬを容易に爪ＮＬの表面から除去することができる。
【００３５】
また、先端側可動部１２０の爪接触部分側が、先後方向ＦＢに対して傾いている。
これとともに、爪接触部分１２１が、先後方向ＦＢと交差する第１交差方向ＣＲ１に長尺な形状（扁平した形状）を有して１箇所または複数箇所において第１交差方向ＣＲ１に爪ＮＬの表面と点接触または線接触する構成である。
ここで、爪接触部分１２１の先端１２３が凹凸刃状でない場合は、１箇所で線接触し、図４（Ａ）および図４（Ｂ）に示すように、爪接触部分１２１の先端１２３が凹凸刃状である場合は、複数箇所で点接触または線接触する。
これにより、先端側可動部１２０が先後方向ＦＢに振動したとき、爪接触部分１２１と爪ＮＬの表面との擦れる範囲が第１交差方向ＣＲ１に長尺な分だけ広くなり、振動１往復においてルースキューティクルＬＣやキューティクルＣＬが除去される範囲を広くなる。
具体的には、一例として爪接触部分１２１の移動面積は、４．８０平方ｍｍである。
その結果、より短時間でルースキューティクルＬＣやキューティクルＣＬを容易に爪ＮＬの表面から除去することができる。
【００３６】
また、本実施例では、図４（Ａ）および図４（Ｂ）に示すように、爪接触部分１２１の先端１２３が、凹凸刃状に形成されている。
これにより、爪接触部分１２１のルースキューティクルＬＣやキューティクルＣＬに対する切れ味が増す。
その結果、より一層短時間でルースキューティクルＬＣやキューティクルＣＬを容易に爪ＮＬの表面から除去することができる。
【００３７】
さらに、本実施例では、先端側可動部１２０の振動の振幅が、０．５ｍｍ〜３．０である。
これにより、仮に爪接触部分１２１が人体の爪ＮＬ以外の手の甲などの箇所と接触してしまった場合であっても、０．５ｍｍ〜３．０の範囲の振動であれば、接触した箇所の皮膚が爪接触部分１２１の振動に追従する。
その結果、接触した箇所の皮膚を傷つけてしまうことを回避できる。
他方で、爪接触部分１２１が爪ＮＬの表面と接触しているとき、ルースキューティクルＬＣやキューティクルＣＬは、爪接触部分１２１の振動に追従しようとして爪ＮＬの表面から剥がされる。
その結果、確実にルースキューティクルＬＣやキューティクルＣＬだけを除去することができる。
【００３８】
このようにして得られた本発明の第１実施例である爪上皮角質除去装置１００は、ユーザによって把持されるグリップ本体部１１０と、グリップ本体部１１０の先端側に設けられてグリップ本体部１１０に対して相対的に移動自在な先端側可動部１２０と、グリップ本体部１１０と先端側可動部１２０との間に力を作用させて先端側可動部１２０を駆動させる駆動手段１３０とを備え、先端側可動部１２０が、駆動手段１３０から動力を受けて少なくともグリップ本体部１１０の先後方向ＦＢに振動する構成であることにより、手作業のときと比べて短時間でルースキューティクルＬＣやキューティクルＣＬを容易に爪ＮＬの表面から除去することができる。
【００３９】
さらに、先端側可動部１２０の爪接触部分側が、先後方向ＦＢに対して傾いているとともに、爪接触部分１２１が、先後方向ＦＢと交差する第１交差方向ＣＲ１に長尺な形状を有して１箇所または複数箇所において第１交差方向ＣＲ１に爪ＮＬの表面と接触する構成であることにより、より短時間でルースキューティクルＬＣやキューティクルＣＬを容易に爪ＮＬの表面から除去することができる。
【００４０】
また、爪接触部分の先端１２３が、凹凸刃状に形成されていることにより、より一層短時間でルースキューティクルＬＣやキューティクルＣＬを容易に爪ＮＬの表面から除去することができる。
さらに、先端側可動部１２０の振動の１つ方向成分の振幅が、０．５ｍｍ〜３．０であることにより、仮に爪接触部分１２１が人体の爪ＮＬ以外の手の甲などの箇所と接触してしまった場合であっても、接触した箇所の皮膚を傷つけてしまうことを回避し、他方で、爪接触部分１２１が爪ＮＬの表面と接触しているとき、確実にルースキューティクルＬＣやキューティクルＣＬだけを除去することができるなど、その効果は甚大である。
【実施例２】
【００４１】
続いて、本発明の第２実施例である爪上皮角質除去装置２００について、図６（Ａ）乃至図７（Ｄ）に基づいて説明する。
ここで、図６（Ａ）は、第２実施例の爪上皮角質除去装置２００の内部を示す第１交差方向ＣＲ１から視た断面図であり、図６（Ｂ）は、図６（Ａ）に示す符号６Ｂ−６Ｂで視た断面図であり、図７（Ａ）は、第２実施例の先端側可動部２２０の動きを示す動作図であり、図７（Ｂ）は、図７（Ａ）に示す状態から第２ベベルギア２３６および第４ベベルギア２４１が９０度回転したときの状態を示す図であり、図７（Ｃ）は、図７（Ｂ）に示す状態から第２ベベルギア２３６および第４ベベルギア２４１が９０度回転したときの状態を示す図であり、図７（Ｄ）は、図７（Ｃ）に示す状態から第２ベベルギア２３６および第４ベベルギア２４１が９０度回転したときの状態を示す図である。
第２実施例の爪上皮角質除去装置２００は、第１実施例の爪上皮角質除去装置１００の先端側可動部１２０の振動方向を２次元としたものであり、多くの要素について第１実施例の爪上皮角質除去装置１００と共通するので、共通する事項については詳しい説明を省略し、下２桁が共通する２００番台の符号を付すのみとする。
【００４２】
図６（Ａ）および図６（Ｂ）に示すように、駆動手段２３０は、第１回転軸２３３と、ボールベアリング２３４と、第１ベベルギア２３５と、第２ベベルギア２３６と、第３ベベルギア２４０と、第４ベベルギア２４１と、第１偏心軸２３９と、第２偏心軸２４２とを有している。
ここで、第２ベベルギア２３６および第４ベベルギア２４１は、先後方向ＦＢおよび第１交差方向ＣＲ１と直交する第２交差方向ＣＲ２を軸として回転する駆動手段２３０の回転体である。
そして、爪接触部分２２１が、先後方向ＦＢおよび第１交差方向ＣＲ１からなる仮想面上を円運動するように構成されている。
以下に、より具体的に説明する。
【００４３】
第１回転軸２３３は、エアータービンと一体に回転するように構成されている。
ボールベアリング２３４は、グリップ本体部２１０に対して第１回転軸２３３を回転自在に支持している。
第１ベベルギア２３５は、第１回転軸２３３と一体に回転するように設けられている。
第２ベベルギア２３６は、第２回転軸２３６ａを中心に回転し、第１ベベルギア２３５と噛み合って第１ベベルギア２３５から動力を受けるように設けられている。
【００４４】
第３ベベルギア２４０は、第３回転軸２４０ａを中心に回転し、第２ベベルギア２３６と噛み合って第２ベベルギア２３６から動力を受けるように設けられている。
第４ベベルギア２４１は、第４回転軸２４１ａを中心に回転し、第３ベベルギア２４０と噛み合って第３ベベルギア２４０から動力を受けるように設けられている。
第１偏心軸２３９の一端は、第２ベベルギア２３６と係合し、第１偏心軸２３９は、第２回転軸２３６ａの中心に対してずれて配置され、第２回転軸２３６ａを中心に回転するように設けられている。
【００４５】
言い換えると、第１偏心軸２３９は、第２回転軸２３６ａを中心とした所謂、遊星運動と同じ軌跡を描くように設けられている。
同様に、第２偏心軸２４２の一端は、第４ベベルギア２４１と係合し、第２偏心軸２４２は、第４回転軸２４１ａの中心に対してずれて配置され、第４回転軸２４１ａを中心に回転するように設けられている。
言い換えると、第２偏心軸２４２は、第４回転軸２４１ａを中心として所謂、遊星運動と同じ軌跡を描くように設けられている。
【００４６】
さらに、第１偏心軸２３９は、先端側可動部２２０に設けられた第１係合穴２２４にベアリングＢ１を介して挿通されている。
同様に、第２偏心軸２４２は、先端側可動部２２０に設けられた第２係合穴２２５にベアリングＢ２を介して挿通されている。
なお、第１偏心軸２３９の他端は、第２回転軸２３６ａと同心の第１回転部材２３６ｂと係合している。
同様に、第２偏心軸２４２の他端は、第４回転軸２４１ａと同心の第２回転部材２４１ｂと係合している。
【００４７】
そして、図７（Ａ）の状態から、エアータービンが回転すると、第１回転軸２３３および第１ベベルギア２３５も回転する。
すると、第２ベベルギア２３６、第３ベベルギア２４０、第４ベベルギア２４１へ動力が伝達され、第２ベベルギア２３６および第１偏心軸２３９が、第２回転軸２３６ａを中心に９０度回転するとともに、第４ベベルギア２４１および第２偏心軸２４２が、第４回転軸２４１ａを中心に９０度回転する。
そして、図７（Ｂ）に示すように、先端側可動部２２０が、第１偏心軸２３９および第２偏心軸２４２から力を受けて先後方向ＦＢの先側へ移動するとともに第１交差方向ＣＲ１の一方（図７における上側）へ移動する。
つまり、弧を描くように移動する。
【００４８】
図７（Ｂ）の状態から図７（Ｃ）に示す状態へ、第２ベベルギア２３６および第４ベベルギア２４１がさらに９０度回転すると、先端側可動部２２０が、第１偏心軸２３９および第２偏心軸２４２から力を受けて先後方向ＦＢの先側へさらに移動するとともに第１交差方向ＣＲ１の他方（図７における下側）へ移動する。
図７（Ｃ）の状態から図７（Ｄ）に示す状態へ、第２ベベルギア２３６および第４ベベルギア２４１がさらに９０度回転すると、先端側可動部２２０が、第１偏心軸２３９および第２偏心軸２４２から力を受けて先後方向ＦＢの後側へ移動するとともに第１交差方向ＣＲ１の他方（図７における下側）へさらに移動する。
【００４９】
図７（Ｄ）の状態から第２ベベルギア２３６および第４ベベルギア２４１がさらに９０度回転すると、先端側可動部２２０が、第１偏心軸２３９および第２偏心軸２４２から力を受けて先後方向ＦＢの後側へさらに移動するとともに第１交差方向ＣＲ１の一方（図７における上側）へ移動し、図７（Ａ）に示す状態に戻る。
つまり、先端側可動部２２０の爪接触部分２２１が、先後方向ＦＢおよび第１交差方向ＣＲ１の２方向に振動し、先後方向ＦＢおよび第１交差方向ＣＲ１からなる仮想面上を円運動する。
これにより、先後方向成分において、往復運動の往動から復動に切り替わる際に、爪接触部分２２１が第１交差方向ＣＲ１に移動して２次元運動をしてルースキューティクルＬＣやキューティクルＣＬを爪ＮＬの根元から切断するように動く。
その結果、爪ＮＬの根元からルースキューティクルＬＣやキューティクルＣＬを剥がしてかき出すことができる。
【００５０】
本実施例では、先端側可動部２２０の先後方向ＦＢの振幅は、２ｍｍである。
そして、爪接触部分２２１の移動面積は、７．９４平方ｍｍである。
一方向のみの振動と比べて、爪接触部分２２１の移動面積が広くなる。
その結果、より効率よくルースキューティクルＬＣやキューティクルＣＬを爪ＮＬの表面から除去することができる。
【００５１】
このようにして得られた本発明の第２実施例である爪上皮角質除去装置２００は、先端側可動部２２０が、先後方向ＦＢおよび第１交差方向ＣＲ１と直交する第２交差方向ＣＲ２を軸として回転する駆動手段２３０の回転体である第２ベベルギア２３６および第４ベベルギア２４１と連結され、爪接触部分２２１が、先後方向ＦＢおよび第１交差方向ＣＲ１からなる仮想面上を円運動する構成であることにより、爪ＮＬの根元からルースキューティクルＬＣやキューティクルＣＬを剥がしてかき出すことができるなど、その効果は甚大である。
【実施例３】
【００５２】
続いて、本発明の第３実施例である爪上皮角質除去装置３００について、図８（Ａ）乃至図９（Ｄ）に基づいて説明する。
ここで、図８（Ａ）は、第３実施例の爪上皮角質除去装置３００の内部を示す第１交差方向ＣＲ１から視た断面図であり、図８（Ｂ）は、図８（Ａ）に示す符号８Ｂ−８Ｂで視た断面図であり、図９（Ａ）は、第３実施例の先端側可動部３２０の動きを示す動作図であり、図９（Ｂ）は、図９（Ａ）に示す状態から第２ベベルギア３３６および第４ベベルギア３４１が９０度回転したときの状態を示す図であり、図９（Ｃ）は、図９（Ｂ）に示す状態から第２ベベルギア３３６および第４ベベルギア３４１が９０度回転したときの状態を示す図であり、図９（Ｄ）は、図９（Ｃ）に示す状態から第２ベベルギア３３６および第４ベベルギア３４１が９０度回転したときの状態を示す図である。
なお、図９（Ａ）〜図９（Ｄ）における右側の図は、それぞれ、爪上皮角質除去装置３００の内部の構成を示す図であり、左側の図は、先後方向ＦＢの先側から視た先端側可動部３２０の軌跡を示す図である。
第３実施例の爪上皮角質除去装置３００は、第１実施例の爪上皮角質除去装置１００の先端側可動部１２０の振動方向を３次元としたものであり、多くの要素について第１実施例の爪上皮角質除去装置１００および第２実施例の爪上皮角質除去装置２００と共通するので、共通する事項については詳しい説明を省略し、下２桁が共通する３００番台の符号を付すのみとする。
【００５３】
図８（Ａ）および図８（Ｂ）に示すように、駆動手段３３０は、第１回転軸３３３と、ボールベアリング３３４と、第１ベベルギア３３５と、第２ベベルギア３３６と、第３ベベルギア３４０と、第４ベベルギア３４１と、第１偏心軸３３９と、第２偏心軸３４２とを有している。
ここで、第２ベベルギア３３６および第４ベベルギア３４１は、先後方向ＦＢおよび第１交差方向ＣＲ１と直交する第２交差方向ＣＲ２を軸として回転する駆動手段３３０の回転体である。
【００５４】
本実施例では、先端側可動部３２０が、回転体である第２ベベルギア３３６および第４ベベルギア３４１に対して第２交差方向ＣＲ２に摺動自在に連結されている。
具体的には、第１偏心軸３３９が、先端側可動部３２０の第１係合穴３２４にベアリングＢ３を介して挿通されている。
同様に、第２偏心軸３４２が、先端側可動部３２０の第２係合穴３２５にベアリングＢ４を介して挿通されている。
そして、先端側可動部３２０が、第２ベベルギア３３６および第４ベベルギア３４１に対して第２交差方向ＣＲ２に摺動自在に設けられている。
先端側可動部３２０およびグリップ本体部３１０の少なくとも一方として、グリップ本体部３１０が、先後方向ＦＢに対して傾斜した第１本体側傾斜部分３１１および第２本体側傾斜部分３１２を有している。
同様に、先端側可動部３２０が、先後方向ＦＢに対して傾斜した第１可動側傾斜部分３２６および第２可動側傾斜部分３２７を有している。
【００５５】
第１本体側傾斜部分３１１が、第１可動側傾斜部分３２６と接触し、第２本体側傾斜部分３１２が、第２可動側傾斜部分３２７と接触している。
そして、先端側可動部３２０が、先後方向ＦＢの先側へ移動したとき、第１本体側傾斜部分３１１と第１可動側傾斜部分３２６との接触によって、先後方向ＦＢの先側への力が第２交差方向ＣＲ２の一方への力に変換されるとともに、第１本体側傾斜部分３１１と第１可動側傾斜部分３２６との協働により先端側可動部３２０が傾斜面である第１本体側傾斜部分３１１および第１可動側傾斜部分３２６に沿って案内されるように構成されている。
同様に、先端側可動部３２０が、先後方向ＦＢの後側へ移動したとき、第２本体側傾斜部分３１２と第２可動側傾斜部分３２７との接触によって、先後方向ＦＢの後側への力が第２交差方向ＣＲ２の他方への力に変換されるとともに、第２本体側傾斜部分３１２と第２可動側傾斜部分３２７との協働により先端側可動部３２０が傾斜面である第２本体側傾斜部分３１２および第２可動側傾斜部分３２７に沿って案内されるように構成されている。
【００５６】
そして、図９（Ａ）の状態から、エアータービンが回転すると、第１回転軸３３３および第１ベベルギア３３５も回転する。
すると、第２ベベルギア３３６、第３ベベルギア３４０、第４ベベルギア３４１へ動力が伝達され、第２ベベルギア３３６および第１偏心軸３３９が、第２回転軸３３６ａを中心に９０度回転するとともに、第４ベベルギア３４１および第２偏心軸３４２が、第４回転軸３４１ａを中心に９０度回転する。
【００５７】
そして、図９（Ｂ）に示すように、先端側可動部３２０が、第１偏心軸３３９および第２偏心軸３４２から力を受けて先後方向ＦＢの先側へ移動するとともに第１交差方向ＣＲ１の一方（図９における紙面表から裏へ向かう方向）および第２交差方向ＣＲ２の一方（図９における下側）へ移動する。
つまり、先後方向ＦＢを基準として３次元に弧を描くように移動する。
【００５８】
図９（Ｂ）の状態から図９（Ｃ）に示す状態へ、第２ベベルギア３３６および第４ベベルギア３４１がさらに９０度回転すると、先端側可動部３２０が、第１偏心軸３３９および第２偏心軸３４２から力を受けて先後方向ＦＢの先側へさらに移動するとともに第１交差方向ＣＲ１の他方（図９における紙面裏から表へ向かう方向）および第２交差方向ＣＲ２の一方（図９における下側）へ移動する。
【００５９】
図９（Ｃ）の状態から図９（Ｄ）に示す状態へ、第２ベベルギア３３６および第４ベベルギア３４１がさらに９０度回転すると、先端側可動部３２０が、第１偏心軸３３９および第２偏心軸３４２から力を受けて先後方向ＦＢの後側へ移動するとともに第１交差方向ＣＲ１の他方（図９における紙面裏から表へ向かう方向）および第２交差方向ＣＲ２の一方（図９における上側）へさらに移動する。
【００６０】
図９（Ｄ）の状態から第２ベベルギア３３６および第４ベベルギア３４１がさらに９０度回転すると、先端側可動部３２０が、第１偏心軸３３９および第２偏心軸３４２から力を受けて先後方向ＦＢの後側へさらに移動するとともに第１交差方向ＣＲ１の一方（図９における紙面表から裏へ向かう方向）および第２交差方向ＣＲ２の一方（図９における上側）へさらに移動し、図９（Ａ）に示す状態に戻る。
つまり、先端側可動部３２０の爪接触部分３２１が、先後方向ＦＢ、第１交差方向ＣＲ１および第２交差方向ＣＲ２の３方向に振動し、先後方向ＦＢ、第１交差方向ＣＲ１および第２交差方向ＣＲ２のそれぞれの成分を含む仮想面上を円運動する。
これにより、爪接触部分３２１が第１交差方向ＣＲ１および第２交差方向ＣＲ２にも移動して３次元運動をして往復運動の際に爪接触部分３２１が通過する面積が２次元運動のときと比べて大きくなる。
その結果、より効率よく爪ＮＬの根元からルースキューティクルＬＣやキューティクルＣＬを剥がしてかき出すことができる。
【００６１】
さらに、先端側可動部３２０が、先後方向ＦＢの先側へ移動する際、先端側可動部３２０の爪接触部分側が向いている側へ、第１本体側傾斜部分３１１および第１可動側傾斜部分３２６が、先端側可動部３２０を移動させるように構成されている。
これにより、爪接触部分３２１が３次元運動をする際、爪接触部分３２１が爪ＮＬの根元に押し込まれるような軌道となる。
その結果、より一層効果的に爪ＮＬの根元からルースキューティクルＬＣやキューティクルＣＬを剥がしてかき出すことができる。
【００６２】
本実施例では、先端側可動部３２０の先後方向ＦＢの振幅は、２ｍｍである。
そして、爪接触部分３２１の移動面積は、９．１７平方ｍｍである。
２次元の振動と比べて、爪接触部分３２１の移動面積が広くなる。
その結果、より一層効率よくルースキューティクルＬＣやキューティクルＣＬを爪ＮＬの表面から除去することができる。
【００６３】
このようにして得られた本発明の第３実施例である爪上皮角質除去装置３００は、先端側可動部３２０が、回転体である第２ベベルギア３３６および第４ベベルギア３４１に対して第２交差方向ＣＲ２に摺動自在に連結され、先端側可動部３２０およびグリップ本体部３１０の少なくとも一方である両者が、先後方向ＦＢに対して傾斜した傾斜部分である第１本体側傾斜部分３１１、第２本体側傾斜部分３１２、第１可動側傾斜部分３２６および第２可動側傾斜部分３２７を有し、第１本体側傾斜部分３１１が、第１可動側傾斜部分３２６と接触し、第２本体側傾斜部分３１２が、第２可動側傾斜部分３２７と接触し、先後方向ＦＢへの相対的な移動に伴って先後方向ＦＢへの力を第２交差方向ＣＲ２への力に変換する構成であることにより、より効率よく爪ＮＬの根元からルースキューティクルＬＣやキューティクルＣＬを剥がしてかき出すことができる。
【００６４】
さらに、先端側可動部３２０が、先後方向ＦＢの先側へ移動する際、先端側可動部３２０の爪接触部分側が向いている側へ、第１本体側傾斜部分３１１および第１可動側傾斜部分３２６が、先端側可動部３２０を移動させる構成であることにより、より一層効果的に爪ＮＬの根元からルースキューティクルＬＣやキューティクルＣＬを剥がしてかき出すことができるなど、その効果は甚大である。
【符号の説明】
【００６５】
１００、  ２００、  ３００  ・・・  爪上皮角質除去装置
１１０、  ２１０、  ３１０  ・・・  グリップ本体部
３１１  ・・・  第１本体側傾斜部分
３１２  ・・・  第２本体側傾斜部分
１２０、  ２２０、  ３２０  ・・・  先端側可動部
１２１、  ２２１、  ３２１  ・・・  爪接触部分
１２２                      ・・・  被作用部分
１２３                      ・・・  （先端側可動部の）先端（凹凸刃状）
２２４、  ３２４  ・・・  第１係合穴
２２５、  ３２５  ・・・  第２係合穴
３２６  ・・・  第１可動側傾斜部分
３２７  ・・・  第２可動側傾斜部分
１３０、  ２３０、  ３３０  ・・・  駆動手段
１３１                      ・・・  エアー供給シリンダ
１３２                      ・・・  エアー供給チューブ
１３３、  ２３３、  ３３３  ・・・  第１回転軸
１３４、  ２３４、  ３３４  ・・・  ボールベアリング
１３５、  ２３５、  ３３５  ・・・  第１ベベルギア
１３６、  ２３６、  ３３６  ・・・  第２ベベルギア（回転体）
１３６ａ、２３６ａ、３３６ａ・・・  第２回転軸
１３７                      ・・・  偏心カム
１３７ａ                    ・・・  作用部分
１３８                      ・・・  圧縮ばね
２３９、  ３３９  ・・・  第１偏心軸
２４０、  ３４０  ・・・  第３ベベルギア
２４０ａ、３４０ａ・・・  第３回転軸
２４１、  ３４１  ・・・  第４ベベルギア
２４１ａ、３４１ａ・・・  第４回転軸
２４２、  ３４２  ・・・  第２偏心軸
ＦＢ    ・・・  先後方向
ＣＲ１  ・・・  第１交差方向
ＣＲ２  ・・・  第２交差方向
ＦＧ    ・・・  指
ＮＬ    ・・・  爪
ＬＣ    ・・・  ルースキューティクル（爪上皮角質）
ＣＬ    ・・・  キューティクル（甘皮）
【図１】
2018183462.tif 000003
【図２】
2018183462.tif 000004
【図３】
2018183462.tif 000005
【図４】
2018183462.tif 000006
【図５】
2018183462.tif 000007
【図６】
2018183462.tif 000008
【図７】
2018183462.tif 000009
【図８】
2018183462.tif 000010
【図９】
2018183462.tif 000011
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
ユーザによって把持されるグリップ本体部と、前記グリップ本体部の先端側に設けられてグリップ本体部に対して相対的に移動自在な先端側可動部と、前記グリップ本体部と先端側可動部との間に力を作用させて先端側可動部を駆動させる駆動手段とを備え、
前記先端側可動部が、第２交差方向（先後方向と、前記前後方向に直交する第１交差方向と、に直交する方向）を軸として回転する駆動手段の回転体である第２ベベルギアおよび第４ベベルギアと連結され、
前記第２ベベルギアが回転する第２回転軸の中心に対してずれて配置される第１偏心軸と、
前記第４ベベルギアが回転する第４回転軸の中心に対してずれて配置される第２偏心軸と、
を有し、
前記先端側可動部が、前記第１偏心軸および前記第２偏心軸から力を受けて前記先後方向の先側へ移動するとともに前記第１交差方向へ移動し、
爪接触部分が、前記先後方向および前記第１交差方向からなる仮想面上を円運動する構成であることを特徴とする爪上皮角質除去装置。
【請求項２】
前記先端側可動部の爪接触部分側が、前記先後方向に対して傾いているとともに、前記爪接触部分が、前記先後方向と交差する第１交差方向に長尺な形状を有して１箇所または複数箇所において第１交差方向に爪の表面と接触する構成であることを特徴とする請求項１に記載の爪上皮角質除去装置。
【請求項３】
前記爪接触部分が、凹凸刃状に形成されていることを特徴とする請求項２に記載の爪上皮角質除去装置。
【請求項４】
前記先端側可動部が、前記回転体に対して第２交差方向に摺動自在に連結され、
前記先端側可動部およびグリップ本体部の少なくとも一方が、前記先後方向に対して傾斜した傾斜部分を有し、
前記傾斜部分が、前記先端側可動部およびグリップ本体部の他方と接触し、前記先後方向への相対的な移動に伴って先後方向への力を第２交差方向への力に変換する構成であることを特徴とする請求項３に記載の爪上皮角質除去装置。
【請求項５】
前記先端側可動部が、前記先後方向先側へ移動する際、前記先端側可動部の爪接触部分側が向いている側へ、前記傾斜部分が、前記先端側可動部を移動させる構成であることを特徴とする請求項４に記載の爪上皮角質除去装置。
【請求項６】
前記先端側可動部の振動の１つ方向成分の振幅が、０．５ｍｍ〜３．０であることを特徴とする請求項１乃至請求項５のいずれか１つに記載の爪上皮角質除去装置。